(57)【要約】      （修正有）【課題】ステアリングホイールの損傷や不意の脱落を防止又は減少させることができるステアリングホイールに取り付けられるテーブル装置を提供する。【解決手段】ステアリングホイール１０１の周上の異なる２の位置である一対の第１の当接位置Ｐ１，Ｐ２に当接する第１の当接部と、ステアリングホイールの周のうち、一対の第１の当接位置を通過する直線である基準直線Ｓによって２の周部分に分割される一方である一方周部分に存する少なくとも１の位置である第２の当接位置Ｐ３に当接する第２の当接部と、を有する当接手段と、テーブル面を含む平面である基準平面と第１の当接部との間の距離である第１距離と、基準平面と第２の当接部との間の距離である第２距離と、の両距離のうち少なくとも一方を変化させることで、ステアリングホイールに対するテーブル面の傾きを変化させる傾き調節手段と、を備えてなる、テーブル装置である。【選択図】図６
0003165013.tif 000002
【実用新案登録請求の範囲】
【請求項１】
車両を操舵するため操作するステアリングホイールに着脱自在に取り付けられるテーブル装置であって、
一主表面がテーブル面を形成するテーブル板と、
テーブル板に対して直接又は間接に取り付けられ、ステアリングホイールにテーブル板の他主表面側において当接する当接手段であって、ステアリングホイールの周上の異なる２の位置である一対の第１の当接位置に当接する第１の当接部と、ステアリングホイールの周のうち、一対の第１の当接位置を通過する直線である基準直線によって２の周部分に分割される一方である一方周部分に存する少なくとも１の位置である第２の当接位置に当接する第２の当接部と、を有する当接手段と、
テーブル面を含む平面である基準平面と第１の当接部との間の距離である第１距離と、基準平面と第２の当接部との間の距離である第２距離と、の両距離のうち少なくとも一方を変化させることで、ステアリングホイールに対するテーブル面の傾きを変化させる傾き調節手段と、
を備えてなる、テーブル装置。
【請求項２】
傾き調節手段が、第１及び／又は第２の当接部とテーブル板との間に存するリンク機構によって前記両距離のうち少なくとも一方を変化させるものである、請求項１に記載のテーブル装置。
【請求項３】
傾き調節手段が、第２距離を変化させるものであり、
傾き調節手段が、テーブル板に対して回動可能に取り付けられた脚部支持部材と、脚部支持部材に対して回動可能に取り付けられる棒状部材である支持脚部と、を有してなり、第２の当接部が支持脚部の先端近傍部分によって形成されるものである、請求項２に記載のテーブル装置。
【請求項４】
傾き調節手段が、第１及び／又は第２の当接部とテーブル板との間に存する互いに連結される複数の部材を含んでなり、該複数の部材のうち少なくとも１対の部材の間が少なくとも２以上の相対的に異なる位置を選択可能に取り付けられることで前記両距離のうち少なくとも一方を変化させるものである、請求項１乃至３のいずれか１に記載のテーブル装置。
【請求項５】
傾き調節手段が、第２距離を変化させるものであり、
傾き調節手段が、テーブル板に対して取り付けられた脚部支持部材と、脚部支持部材に対して少なくとも２以上の相対的に異なる位置を選択可能に取り付けられる棒状部材である支持脚部と、を有してなり、第２の当接部が支持脚部の先端近傍部分によって形成されるものである、請求項４に記載のテーブル装置。
【請求項６】
ステアリングホイールの第２の当接位置に存する部分に係合し、内面の少なくとも一部が第２の当接部を構成する凹溝が前記支持脚部の先端近傍に形成されるものである、請求項３又は５に記載のテーブル装置。
【請求項７】
一対の第１の当接部が、テーブル板の他主表面側に配設され該他主表面から畝状に突出する突条部材の表面によって形成されるものである、請求項１乃至６のいずれか１に記載のテーブル装置。
【請求項８】
ステアリングホイールに係合することでステアリングホイールにテーブル板を着脱自在に取り付けるものである取付手段を備えてなる、請求項１乃至７のいずれか１に記載のテーブル装置。
【請求項９】
取付手段が、一端がテーブル板に直接又は間接に取り付けられる第１帯材と、一端がテーブル板に直接又は間接に取り付けられる第２帯材と、を含んでなり、第１帯材の他端側と第２帯材の他端側とが脱着自在に連結されることで、ステアリングホイールにテーブル板を着脱自在に取り付けるものである、請求項８に記載のテーブル装置。
【考案の詳細な説明】
【技術分野】
【０００１】
本考案は、テーブル装置に関し、より詳細には、車両を操舵するため操作するステアリングホイールに着脱自在に取り付けられるテーブル装置に関する。
【背景技術】
【０００２】
車両を操舵するため操作するステアリングホイールに着脱自在に取り付けられるテーブル装置は従来から知られている（例えば、特許文献１参照）。
特許文献１は、「自動車のステアリングホイール（通称ハンドル）の下半部にワンタッチで架けられ、しかも角度調節が同時に出来るテーブルを提供する」（特許文献１、要約の目的）ためになされたものであり、具体的には「ステアリングホイールの下半部にテーブルの一辺に設けた両側部にＶ字形を有する枠をあてがうだけで、簡単に装着と角度の調節が出来るようにした自動車の運転席用テーブルである。その構造はステアリングホイールの表面（運転席に着座して見える側）に接する底辺部枠の内縁を支点とし、一方裏面に接する左右の斜辺部枠の内縁を作用点とし、テーブル部を力点とし、支点と作用点の位置ズレ防止とホイールのキズ防止のために枠の内縁に滑り止めゴムを固着して、ステアリングホイールを掴みテーブルを安定させるもの」（特許文献１、発明の詳細な説明中、段落番号０００３後段〜０００５）であり、それによって「テーブルを持って枠のＶ字部をステアリングホイールの下半部にあてがい、任意のテーブル角度を得れば、底辺部枠と斜辺部枠の開き角度により支点は底辺部枠の左右から中央方向へ、作用点は斜辺部枠の下方より上方へ移動し、手を放した位置でテーブルは支持され滑り止めにより安定する」（特許文献１、発明の詳細な説明中、段落番号０００８）というものを開示している。
【先行技術文献】
【特許文献】
【０００３】
【特許文献１】特開２０００−３１８５３５号公報（例えば、要約、段落番号０００１〜０００８、００１４〜００１６、第１図、第２図及び第５図等）
【考案の概要】
【考案が解決しようとする課題】
【０００４】
このような特許文献１に開示されたテーブル装置（特許文献１においてはテーブル）によれば、「懸架装置がテーブルと一体の構造で出来、これに滑り止め縁を接着するだけで出来るので製造が簡単であり、多くの車種のステアリングホイールにテーブルを一瞬にして架け使用できるし、収納も簡単で場所を取らない」（特許文献１、発明の詳細な説明中、段落番号００１５）が、両側部にＶ字形を有する枠によってステアリングホイールを掴みテーブル装置を固定させるものであるため、テーブルに載置した物の重量等によってテーブル上面に力が加わると「ステアリングホイールの表面（運転席に着座して見える側）に接する底辺部枠の内縁を支点とし、一方裏面に接する左右の斜辺部枠の内縁を作用点とし、テーブル部を力点」とする一種のテコによってその力が増幅されるためステアリングホイールの損傷（例えば、凹み）を生じたり、テーブルを僅かでも上昇させるとステアリングホイールを掴む力が急激に減少してステアリングホイールからテーブル装置が不意に脱落するといった問題があった。
そこで、本考案では、このようなステアリングホイールの損傷や不意の脱落を防止又は減少させることができるテーブル装置を提供することを目的とする。
【課題を解決するための手段】
【０００５】
本考案のテーブル装置（以下、「本装置」という。）は、車両を操舵するため操作するステアリングホイールに着脱自在に取り付けられるテーブル装置であって、一主表面がテーブル面を形成するテーブル板と、テーブル板に対して直接又は間接に取り付けられ、ステアリングホイールにテーブル板の他主表面側において当接する当接手段であって、ステアリングホイールの周上の異なる２の位置である一対の第１の当接位置に当接する第１の当接部と、ステアリングホイールの周のうち、一対の第１の当接位置を通過する直線である基準直線によって２の周部分に分割される一方である一方周部分に存する少なくとも１の位置である第２の当接位置に当接する第２の当接部と、を有する当接手段と、テーブル面を含む平面である基準平面と第１の当接部との間の距離である第１距離と、基準平面と第２の当接部との間の距離である第２距離と、の両距離のうち少なくとも一方を変化させることで、ステアリングホイールに対するテーブル面の傾きを変化させる傾き調節手段と、を備えてなる、テーブル装置である。
【０００６】
本装置は、車両を操舵するため操作するステアリングホイールに着脱自在に取り付けられるテーブル装置である。車両を操舵するため操作するステアリングホイールは、一般的には「ハンドル」等と呼ばれることもあり、車両の運転者に面するように設けられる。
本装置は、テーブル板と、当接手段と、傾き調節手段と、を備えてなる。
テーブル板は、物が載置される面であるテーブル面をなす一主表面と、一主表面の裏面である他主表面と、の両面を有する平板状の部材によって形成される。
当接手段は、テーブル板に対して直接又は間接に取り付けられ、テーブル板の他主表面側（物が載置される面であるテーブル面とは反対の面の側）においてステアリングホイールに当接する。当接手段は、ステアリングホイールに当接する第１の当接部及び第２の当接部を有する。第１の当接部は、ステアリングホイールの周上の異なる２の位置である一対の第１の当接位置に当接する。そして、ステアリングホイールの周のうち、一対の第１の当接位置（第１の当接部が当接するステアリングホイールの位置）を通過する直線である基準直線によって分割される２の周部分（基準直線が境界線となって分割される２つの部分）が生じるが、その２の周部分のうちの一方である一方周部分に存する少なくとも１の位置である第２の当接位置に第２の当接部は当接する。
傾き調節手段は、テーブル面を含む平面である基準平面と第１の当接部との間の距離である第１距離と、基準平面と第２の当接部との間の距離である第２距離と、の両距離のうち少なくとも一方を変化させることによって、ステアリングホイールに対するテーブル面の傾きを変化させる。なお、傾き調節手段が該両距離のうち少なくとも一方を変化させることには、第１距離のみを変化させる場合、第２距離のみを変化させる場合、第１距離と第２距離との両方を変化させる場合、の３つの場合がある。
【０００７】
このように本装置によれば、テーブル板に対して直接又は間接に取り付けられる当接手段が、ステアリングホイールの周上の異なる２の位置である一対の第１の当接位置に当接する（第１の当接部）と共に、一対の第１の当接位置を通過する基準直線によってステアリングホイールの周が分割される一方（一方周部分）に存する少なくとも１の位置である第２の当接位置に当接する（第２の当接部）ので、ステアリングホイールの周上の少なくとも異なる３の位置（２個の第１の当接位置と、少なくとも１個の第２の当接位置と、で少なくとも３個）に当接する当接手段によってテーブル板がステアリングホイールに対して安定して支持される。そして、このようにテーブル板がステアリングホイールに対して安定して支持された状態で、第１距離と第２距離との両距離のうち少なくとも一方を変化させることによりステアリングホイールに対するテーブル面の傾きを変化させることができ、ステアリングホイールに対するテーブル面の傾きを本装置の使用者が所望するように調整することができる。また、ステアリングホイールに本装置は着脱自在に取り付けられるので、本装置を必要なときに取り付けて使用し、本装置が不要なとき（例えば、運転時）に取り外すことで、ステアリングホイールの操作を邪魔することなく、テーブルが必要なときに本装置を取り付け便利に使用することができる。以上の通り、本装置は、ステアリングホイールの周上の少なくとも異なる３の位置に当接することで支持されるので、特許文献１の両側部にＶ字形を有する枠によってステアリングホイールを掴みテーブル装置を固定させるものとは異なり、ステアリングホイールの損傷や不意の脱落を防止又は減少させることができる。
【０００８】
本装置においては、傾き調節手段が、第１及び／又は第２の当接部とテーブル板との間に存するリンク機構によって前記両距離のうち少なくとも一方を変化させるもの（以下、「リンク機構本装置」という。）であってもよい。
傾き調節手段は、第１距離と第２距離との両距離のうち少なくとも一方を変化させてステアリングホイールに対するテーブル面の傾きを変化させるが、「傾き調節手段が、第１及び／又は第２の当接部とテーブル板との間に存するリンク機構によって前記両距離のうち少なくとも一方を変化させる」とは、傾き調節手段が第１距離のみを変化させる場合には傾き調節手段が第１の当接部とテーブル板との間に存するリンク機構によって第１距離を変化させること、傾き調節手段が第２距離のみを変化させる場合には傾き調節手段が第２の当接部とテーブル板との間に存するリンク機構によって第２距離を変化させること、そして傾き調節手段が第１距離と第２距離との両方を変化させる場合には傾き調節手段が第１の当接部とテーブル板との間に存するリンク機構によって第１距離を変化させること及び／又は傾き調節手段が第２の当接部とテーブル板との間に存するリンク機構によって第２距離を変化させること、を含む。
リンク機構は、互いに連結される複数の部材を含んでなり、該複数の部材のうち少なくとも１対の部材の間が回動可能に連結されるものであるので、当接部とテーブル板との間にリンク機構を介在させれば、簡単な構成によって容易に前記両距離のうち少なくとも一方を変化させることができる。
【０００９】
リンク機構本装置の場合、傾き調節手段が、第２距離を変化させるものであり、傾き調節手段が、テーブル板に対して回動可能に取り付けられた脚部支持部材と、脚部支持部材に対して回動可能に取り付けられる棒状部材である支持脚部と、を有してなり、第２の当接部が支持脚部の先端近傍部分によって形成されるもの（以下、「リンク機構支持脚部本装置」という。）であってもよい。
こうすることでリンク機構が、テーブル板に対して回動可能に取り付けられた脚部支持部材と、脚部支持部材に対して回動可能に取り付けられる棒状部材である支持脚部と、で構成されると共に、第２の当接部が支持脚部の先端近傍部分によって形成されるので、テーブル板に対する脚部支持部材の回動と、脚部支持部材に対する支持脚部の回動と、の両回動によって傾き調節手段が第２距離を自由に変化させることができ、テーブル面の傾きをうまく調整することができる。
【００１０】
本装置においては、傾き調節手段が、第１及び／又は第２の当接部とテーブル板との間に存する互いに連結される複数の部材を含んでなり、該複数の部材のうち少なくとも１対の部材の間が少なくとも２以上の相対的に異なる位置を選択可能に取り付けられることで前記両距離のうち少なくとも一方を変化させるもの（以下、「位置選択本装置」という。）であってもよい。
傾き調節手段は、第１距離と第２距離との両距離のうち少なくとも一方を変化させてステアリングホイールに対するテーブル面の傾きを変化させるが、「第１及び／又は第２の当接部とテーブル板との間に存する互いに連結される複数の部材を含んでなり、該複数の部材のうち少なくとも１対の部材の間が少なくとも２以上の相対的に異なる位置を選択可能に取り付けられることで前記両距離のうち少なくとも一方を変化させる」とは、傾き調節手段が第１距離のみを変化させる場合には傾き調節手段が第１の当接部とテーブル板との間に存する互いに連結される複数の部材を含んでなり該複数の部材のうち少なくとも１対の部材の間が少なくとも２以上の相対的に異なる位置を選択可能に取り付けられることで第１距離を変化させること、傾き調節手段が第２距離のみを変化させる場合には傾き調節手段が第２の当接部とテーブル板との間に存する互いに連結される複数の部材を含んでなり該複数の部材のうち少なくとも１対の部材の間が少なくとも２以上の相対的に異なる位置を選択可能に取り付けられることで第２距離を変化させること、そして傾き調節手段が第１距離と第２距離との両方を変化させる場合には傾き調節手段が第１の当接部とテーブル板との間に存する互いに連結される複数の部材を含んでなり該複数の部材のうち少なくとも１対の部材の間が少なくとも２以上の相対的に異なる位置を選択可能に取り付けられることで第１距離を変化させること及び／又は傾き調節手段が第２の当接部とテーブル板との間に存する互いに連結される複数の部材を含んでなり該複数の部材のうち少なくとも１対の部材の間が少なくとも２以上の相対的に異なる位置を選択可能に取り付けられることで第２距離を変化させること、を含む。
このように傾き調節手段が当接部とテーブル板との間に存する互いに連結される複数の部材を含んでなり、該複数の部材のうち少なくとも１対の部材の間が少なくとも２以上の相対的に異なる位置を選択可能に取り付けられるようにすれば、簡単な構成によって容易に前記両距離のうち少なくとも一方を変化させることができる。
【００１１】
位置選択本装置の場合、傾き調節手段が、第２距離を変化させるものであり、傾き調節手段が、テーブル板に対して取り付けられた脚部支持部材と、脚部支持部材に対して少なくとも２以上の相対的に異なる位置を選択可能に取り付けられる棒状部材である支持脚部と、を有してなり、第２の当接部が支持脚部の先端近傍部分によって形成されるもの（以下、「位置選択支持脚部本装置」という。）であってもよい。
こうすることで傾き調節手段が、テーブル板に対して取り付けられた脚部支持部材と、脚部支持部材に対して少なくとも２以上の相対的に異なる位置を選択可能に取り付けられる棒状部材である支持脚部と、を有し、第２の当接部が支持脚部の先端近傍部分によって形成されるので、脚部支持部材に対する支持脚部の相対的な取り付け位置を選択することによって傾き調節手段が第２距離を変化させることができ、テーブル面の傾きをうまく調整することができる。
【００１２】
リンク機構支持脚部本装置及び位置選択支持脚部本装置の場合、ステアリングホイールの第２の当接位置に存する部分に係合し、内面の少なくとも一部が第２の当接部を構成する凹溝が前記支持脚部の先端近傍に形成されるものであってもよい。
リンク機構支持脚部本装置及び位置選択支持脚部本装置においては、第２の当接部が棒状部材である支持脚部の先端近傍部分によって形成されるが、棒状部材（支持脚部）の先端近傍部分をステアリングホイールの第２の当接位置に当接させる場合、棒状部材（支持脚部）の先端近傍部分がステアリングホイールの第２の当接位置から不意に外れることを防止又は減少させるため、ステアリングホイールの第２の当接位置に存する部分に係合する凹溝（凹溝の内面の少なくとも一部が第２の当接部を構成する）を支持脚部の先端近傍に形成するようにしてもよい。
【００１３】
本装置においては、一対の第１の当接部が、テーブル板の他主表面側に配設され該他主表面から畝状に突出する突条部材の表面によって形成されるものであってもよい。
一対の第１の当接部は、ステアリングホイールの周上の異なる２の位置である一対の第１の当接位置に当接するが、一対の第１の当接位置がステアリングホイールの周においてどのような位置に存するかによって一対の第１の当接部の間の距離が変化する（例えば、ステアリングホイールの周が円と仮定すると、該距離は０より大きく該距離の最大値は該円の直径である。）。このため一対の第１の当接部の間の距離が想定される範囲で変化しても、一対の第１の当接部が、ステアリングホイールの周上の異なる２の位置である一対の第１の当接位置にうまく当接するものであることが好ましい。このためにはテーブル板の他主表面（テーブル面とは反対面）から畝状に突出する突条部材を該他主表面側に配設し、一対の第１の当接部が突条部材の表面によって形成されるようにしてもよく、それによって突条部材が形成する畝の連続する方向に沿って一対の第１の当接位置の間の距離が変化しても、突条部材の表面によって形成される一対の第１の当接部が一対の第１の当接位置にうまく当接することができる。
【００１４】
本装置においては、ステアリングホイールに係合することでステアリングホイールにテーブル板を着脱自在に取り付けるものである取付手段を備えてなるもの（以下、「取付手段本装置」という。）であってもよい。
本装置は、ステアリングホイールの周上の少なくとも異なる３の位置に当接することで支持されるが、これに加え、ステアリングホイールに係合することでステアリングホイールにテーブル板を着脱自在に取り付けるものである取付手段を備えることで、本装置を安定させ不意の脱落等を防止又は減少させること等によって本装置の使用を一層確実かつ容易にしてもよい。
【００１５】
取付手段本装置の場合、取付手段が、一端がテーブル板に直接又は間接に取り付けられる第１帯材と、一端がテーブル板に直接又は間接に取り付けられる第２帯材と、を含んでなり、第１帯材の他端側と第２帯材の他端側とが脱着自在に連結されることで、ステアリングホイールにテーブル板を着脱自在に取り付けるものであってもよい。
取付手段は、ステアリングホイールに係合することでステアリングホイールにテーブル板を着脱自在に取り付けるものであれば特に限定されるものではなく、例えば、フック、面ファスナー、磁石等を例示できるが、それ以外にも、一端がテーブル板に直接又は間接に取り付けられる第１帯材と、一端がテーブル板に直接又は間接に取り付けられる第２帯材と、を含み、第１帯材の他端側と第２帯材の他端側とが脱着自在に連結されるものであってもよい。このような一端がテーブル板に直接又は間接に取り付けられる第１帯材と、一端がテーブル板に直接又は間接に取り付けられる第２帯材と、を含み、第１帯材の他端側と第２帯材の他端側とが脱着自在に連結される取付手段とすれば、例えば、第１帯材及び第２帯材の一方又は両方をステアリングホイールに巻回した状態で第１帯材の他端側と第２帯材の他端側とを脱着自在に連結することで、ステアリングホイールにテーブル板を着脱自在に容易かつ迅速に取り付けることができる。なお、第１帯材の他端側と第２帯材の他端側とが脱着自在に連結されるようにするには種々の方法が用いられてよく、何ら限定されるものではないが、例えば、フック、面ファスナー、磁石等を例示でき、とりわけ面ファスナーとすれば、軽量であることに加え、ステアリングホイールを損傷することを防止又は減少させることができる。
【図面の簡単な説明】
【００１６】
【図１】本考案の一実施形態のテーブル装置（本装置）を示す正面図である。
【図２】図１に示した本装置の背面図である。
【図３】図１のＡ−Ａ断面図である。
【図４】図１のＢ−Ｂ断面図である。
【図５】図３の矢印Ｑにて示した部分の一部拡大図である。
【図６】本装置をステアリングホイールに装着したところを示す正面図である。
【図７】図６のＢ−Ｂ断面図である。
【図８】図７のステアリングホイールよりも小径のステアリングホイールに本装置を取り付けたところを示す断面図である。
【考案を実施するための形態】
【００１７】
本考案の実施の形態を図面を参照して詳述するが、本考案はこれに限定されるものではない。
【００１８】
図１は、一実施形態の本考案のテーブル装置（本装置）１１を示す正面図であり、図２は本装置１１を示す背面図であり、図３は図１のＡ−Ａ断面図であり、図４は図１のＢ−Ｂ断面図であり、そして図５は図３の矢印Ｑにて示した部分の一部拡大図である。図１乃至図５を参照して、本装置１１について説明する。
本装置１１は、大まかには、長方形を略なす一主表面１３ａ（テーブル面）及び他主表面１３ｂを有するテーブル板１３を含むテーブル本体部１４と、テーブル板１３の他主表面１３ｂが形成する略長方形の１辺に沿って他主表面１３ｂに取り付けられた上部横棒１５と、上部横棒１５の両端に取り付けられた一対の係止突起１７ａ、１７ｂと、係止突起１７ａに一端が取り付けられた第１帯材１９ａと、係止突起１７ｂに一端が取り付けられた第２帯材１９ｂと、テーブル板１３に対してボルト部材２１ａを中心に回動可能に基端２３ａａが取り付けられた第１脚部支持部２３ａと、テーブル板１３に対してボルト部材２１ｂを中心に回動可能に基端２３ｂａが取り付けられた第２脚部支持部２３ｂと、第１脚部支持部２３ａの先端２３ａｂ近傍と第２脚部支持部２３ｂの先端２３ｂｂ近傍との間に基端２５ａ側が挟まれるようにボルト部材２１ｃを中心に回動可能に取り付けられた棒状（ここでは角棒）部材である支持脚２５と、を備えてなる。また、ここではボルト部材２１ａ、２１ｂ、２１ｃと第１帯材１９ａと第２帯材１９ｂとを除いて本装置１１は木材によって形成されているが、材質は木材に限定されるものではなく、例えば、合成樹脂や金属（アルミニウムやステンレス鋼等が例示できる。）等を用いて形成してもよい。
【００１９】
テーブル本体部１４は、略長方形の一主表面１３ａ及び他主表面１３ｂを有するテーブル板１３と、テーブル板１３の他主表面１３ｂが形成する略長方形の１辺（上部横棒１５が沿って取り付けられた１辺に対して平行な１辺）の両側近傍位置の他主表面１３ｂに取り付けられた脚部支持部取付部１３ｃａ、１３ｃｂと、テーブル板１３の一主表面１３ａが形成する略長方形の１辺（脚部支持部取付部１３ｃａ、１３ｃｂが両端近傍に取り付けられた他主表面１３ｂが形成する略長方形の１辺とテーブル板１３の厚み分を隔てた一主表面１３ａの１辺）に沿って一主表面１３ａに取り付けられた棒状（一主表面１３ａが形成する略長方形の該１辺に長手方向が沿って取り付けられた角棒）部材である落下防止棒１３ｎと、を有してなる。なお、落下防止棒１３ｎは、一主表面１３ａに載置された物（不図示）が一主表面１３ａを滑ってきた場合に、その物が一主表面１３ａから滑り落ちることを防止するものである。
【００２０】
上部横棒１５は、長手方向がテーブル板１３の他主表面１３ｂが形成する略長方形の１辺に沿って他主表面１３ｂに取り付けられた木製の棒状部材であり、長手方向に対して垂直な断面（例えば、図４に示す断面）形状は、１の角部１５ａが丸められた長方形状をなしている。丸められた角部１５ａは、図示しないステアリングホイールに上部横棒１５が当接した状態で擦れる等したとき、図示しないステアリングホイールを上部横棒１５が損傷することを防止又は減少させるために丸められている。
一対の係止突起１７ａ、１７ｂは、いずれも同じものを用いており、基端よりも径が拡がった拡径部を先端側に有する所謂「キノコ形状」をなす木製の部材により形成されている。係止突起１７ａ、１７ｂは、いずれも基端が上部横棒１５の両端（両端面）に取り付けられている。
【００２１】
第１帯材１９ａ及び第２帯材１９ｂは、いずれも同じものを用いており、合成樹脂製の糸によって編成された帯状の帯本体部１９ａｂ、１９ｂｂと、帯本体部１９ａｂ、１９ｂｂの基端側に形成され係止突起１７ａ、１７ｂを遊びをもって内嵌する環状部１９ａｃ、１９ｂｃと、帯本体部１９ａｂ、１９ｂｂの先端近傍に取り付けられた面ファスナー１９ａｆ、１９ｂｆと、を有している。環状部１９ａｃ、１９ｂｃは、係止突起１７ａ、１７ｂの拡径部を通過しにくい程度の寸法とされており、第１帯材１９ａ及び第２帯材１９ｂが係止突起１７ａ、１７ｂから通常は不意に脱落することを防止又は減少させるが、第１帯材１９ａ及び第２帯材１９ｂが損傷等によって交換すべき時には環状部１９ａｃ、１９ｂｃが多少引き伸ばされるように力を加えることで係止突起１７ａ、１７ｂを環状部１９ａｃ、１９ｂｃが通過することができ、それによって第１帯材１９ａ及び第２帯材１９ｂを交換することができる。そして、面ファスナー１９ａｆ、１９ｂｆは互いに係合可能なものが用いられており（面ファスナー１９ａｆ、１９ｂｆの一方が雄型で他方が雌型）、これによって帯本体部１９ａｂ、１９ｂｂの先端近傍を係合させたり係合を解いたりを自由に行うことができる。
【００２２】
第１脚部支持部２３ａ及び第２脚部支持部２３ｂは、いずれも同様のものを用いており、ほぼ９０度に湾曲した部分を２カ所（第１脚部支持部２３ａ及び第２脚部支持部２３ｂのいずれも、一平面内に沿って伸びるようにかつ湾曲部分２カ所は互いに逆方向に湾曲されている。）有する棒状部材（木製。長手方向に垂直な断面は長方形を略なす。）によって形成されている。
第１脚部支持部２３ａの基端２３ａａと脚部支持部取付部１３ｃａとは、ボルト部材２１ａ（ボルトとそれに螺合する蝶ナットとによって構成される）によってボルト部材２１ａを中心に回動可能に連結され、それにより第１脚部支持部２３ａはテーブル板１３に対してボルト部材２１ａを中心に回動可能に取り付けられている。同様に、第２脚部支持部２３ｂの基端２３ｂａと脚部支持部取付部１３ｃｂとは、ボルト部材２１ｂ（ボルトとそれに螺合する蝶ナットとによって構成される）によってボルト部材２１ｂを中心に回動可能に連結され、それにより第２脚部支持部２３ｂはテーブル板１３に対してボルト部材２１ｂを中心に回動可能に取り付けられている。
【００２３】
支持脚２５は、棒状（ここでは角棒）の部材によって形成されており、略等間隔に複数（ここでは６個）のボルト嵌入穴２６が穿設されている。支持脚２５が形成する角棒形状の長手方向Ｌ（基端２５ａと先端２５ｂとを通過する直線に沿った方向）に対して平行な支持脚２５の４の側面のうちの互いに略平行な２の側面に対して略垂直な穿設方向Ｄ（図１及び図２中に矢印Ｄにて示した。図３、図４及び図５においては、図示した面に垂直な方向が穿設方向Ｄである。）に向かって複数（ここでは６個）のボルト嵌入穴２６が穿設されている（いずれのボルト嵌入穴２６の穿設方向も同じ方向である。）。
そして、支持脚２５の先端２５ｂには、図示しないステアリングホイールが嵌入される凹溝２７が形成されている（特に、図３、図４及び図５参照）。凹溝２７は、想定されるステアリングホイール（不図示）の外面に沿った形状の内面２７ａによって規定されており、凹溝２７の内面２７ａは想定されるステアリングホイール（不図示）の外面にうまく当接することができる。
上述の通り、支持脚２５は、第１脚部支持部２３ａの先端２３ａｂ近傍に穿設されたボルト貫入穴（不図示）と支持脚２５のボルト嵌入穴２６（６個のうちのいずれか１個）と第２脚部支持部２３ｂの先端２３ｂｂ近傍に穿設されたボルト貫入穴（不図示）とにボルト部材２１ｃ（ボルトとそれに螺合する蝶ナットとによって構成される）が貫入されることによって連結されており、このためボルト部材２１ｃを緩めれば（蝶ナットをボルトに対して回転させる）、第１脚部支持部２３ａ及び第２脚部支持部２３ｂに対して支持脚２５はボルト部材２１ｃを中心に回動可能であり、そしてボルト部材２１ｃのボルトが貫通するボルト嵌入穴２６を変更することでボルト部材２１ｃと先端２５ｂとの間の距離を変えることができる。
【００２４】
以上のような本装置１１においては、図５に詳しく図示した通り、テーブル板１３に対して第１脚部支持部２３ａ及び第２脚部支持部２３ｂの基端側がボルト部材２１ａ、２１ｂ（なお、ボルト部材２１ａの回動中心とボルト部材２１ｂの回動中心とは同一直線上に存する。）を中心に回動可能（図５中、矢印Ｒ１にて示す）に連結されていると共に、第１脚部支持部２３ａ及び第２脚部支持部２３ｂに対して支持脚２５がボルト部材２１ｃ（なお、ボルト部材２１ｃの回動中心と、ボルト部材２１ａ、２１ｂの回動中心と、は略平行である。）を中心に回動可能（図５中、矢印Ｒ２にて示す）に連結されている。加えて、ボルト部材２１ｃのボルトが貫通するボルト嵌入穴２６を変更することで支持脚２５の長手方向Ｌの位置（ボルト部材２１ｃと先端２５ｂとの間の距離）を変更することができる。
【００２５】
次いで、本装置１１の使用方法について説明する。
図６は、本装置１１を四輪自動車（不図示）のステアリングホイール１０１（ハンドルと呼ばれることもある）に装着したところを示す正面図であり、図７は図６のＢ−Ｂ断面図である。図６及び図７を参照して、本装置１１をステアリングホイール１０１に装着した状態について説明する。
まず、ステアリングホイール１０１の周上の異なる２の位置Ｐ１、Ｐ２にて本装置１１の上部横棒１５がステアリングホイール１０１に当接するような位置においてステアリングホイール１０１に本装置１１を固定する。この固定は、第１帯材１９ａ及び第２帯材１９ｂをステアリングホイール１０１に巻き付け、そして面ファスナー１９ａｆ、１９ｂｆを互いに係合させ帯本体部１９ａｂ、１９ｂｂの先端近傍を係合させることで行うことができる。
次いで、支持脚２５の先端２５ｂに形成された凹溝２７に、ステアリングホイール１０１が嵌入された状態（ステアリングホイール１０１の周上の位置Ｐ３にて支持脚２５の先端２５ｂがステアリングホイール１０１に当接している）で、テーブル板１３の一主表面１３ａ（テーブル面）が所望の角度（ここでは略水平）になるように調節する。かかる調節は、テーブル板１３に対する第１脚部支持部２３ａ及び第２脚部支持部２３ｂのボルト部材２１ａ、２１ｂを中心とする回動（図５中、矢印Ｒ１）と、第１脚部支持部２３ａ及び第２脚部支持部２３ｂに対する支持脚２５のボルト部材２１ｃを中心とする回動（図５中、矢印Ｒ２）と、ボルト部材２１ｃのボルトが貫通するボルト嵌入穴２６の変更と、を適宜組み合わせて行うことができる（なお、テーブル板１３の一主表面１３ａ（テーブル面）の角度が所望のものになったら、ボルト部材２１ａ、２１ｂを締めると共にボルト部材２１ｃを締めて、テーブル板１３の一主表面１３ａ（テーブル面）の角度を保持する。）。
以上のようにして、本装置１１をステアリングホイール１０１に装着すると、ステアリングホイール１０１の周上の異なる２の位置である一対の第１の当接位置Ｐ１、Ｐ２と、ステアリングホイール１０１の周のうち、一対の第１の当接位置Ｐ１、Ｐ２を通過する直線である基準直線Ｓ（図６参照）によって２の周部分Ｔ１、Ｔ２に分割される一方である一方周部分Ｔ２に存する少なくとも１の位置Ｐ３と、の３点（Ｐ１、Ｐ２、Ｐ３）によってステアリングホイール１０１に対し本装置１１が支持されるので、本装置１１が安定しうまく使用できる。
【００２６】
また、図６及び図７に示すステアリングホイール１０１とは異なる径のステアリングホイールにも本装置１１はうまく取り付けることができる。一例として、図８は、ステアリングホイール１０１よりも小径のステアリングホイール１０３に本装置１１を取り付けたところを示す断面図（断面位置は図７に同じ）である。図８の場合も図６及び図７の場合と同様、まず、ステアリングホイール１０３の周上の異なる２の位置Ｐ１、Ｐ２にて本装置１１の上部横棒１５がステアリングホイール１０３に当接するような位置において、第１帯材１９ａ及び第２帯材１９ｂをステアリングホイール１０３に巻き付け、そして面ファスナー１９ａｆ、１９ｂｆを互いに係合し帯本体部１９ａｂ、１９ｂｂの先端近傍を係合させることで本装置１１を固定する。そして、支持脚２５の先端２５ｂに形成された凹溝２７に、ステアリングホイール１０３が嵌入された状態（ステアリングホイール１０３の周上の位置Ｐ３にて支持脚２５の先端２５ｂがステアリングホイール１０１に当接している）で、テーブル板１３の一主表面１３ａ（テーブル面）が所望の角度になるように調節する。かかる調節は、テーブル板１３に対する第１脚部支持部２３ａ及び第２脚部支持部２３ｂの回動と、第１脚部支持部２３ａ及び第２脚部支持部２３ｂに対する支持脚２５の回動と、ボルト部材２１ｃのボルトが貫通するボルト嵌入穴２６の選択と、を適宜組み合わせて行えばよい。
なお、図７及び図８のいずれも、支持脚２５の基端２５ａが運転者（不図示）側に突出する方向に位置しているが、運転者（不図示）とは反対方向（図７及び図８中、矢印Ｙ方向）に位置するようにして良いことは言うまでもない。
また、テーブル板１３の一主表面１３ａ（テーブル面）の傾きは、本装置１１の使用中においても、テーブル板１３に対する第１脚部支持部２３ａ及び第２脚部支持部２３ｂの回動と、第１脚部支持部２３ａ及び第２脚部支持部２３ｂに対する支持脚２５の回動と、ボルト部材２１ｃのボルトが貫通するボルト嵌入穴２６の選択と、を適宜行うことで容易に所望のものに変更できる。
そして、面ファスナー１９ａｆ、１９ｂｆの係合を解き、第１帯材１９ａ及び第２帯材１９ｂをステアリングホイール１０１、１０３から外せば本装置１１をステアリングホイール１０１、１０３から容易に取り外すことができる。
【００２７】
以上説明の通り、本装置１１は、車両（ここでは四輪自動車）を操舵するため操作するステアリングホイール１０１、１０３に着脱自在に取り付けられるテーブル装置であって、一主表面１３ａがテーブル面（物を載置する面）を形成するテーブル板１３と、テーブル板１３に対して直接又は間接に取り付けられ、ステアリングホイール１０１、１０３にテーブル板１３の他主表面１３ｂ側において当接する当接手段（ここでは上部横棒１５と支持脚２５とを含んで形成される）であって、ステアリングホイール１０１、１０３の周上の異なる２の位置である一対の第１の当接位置Ｐ１、Ｐ２に当接する第１の当接部（ここでは上部横棒１５の外面が構成する）と、ステアリングホイール１０１、１０３の周のうち、一対の第１の当接位置Ｐ１、Ｐ２を通過する直線である基準直線Ｓ（図６参照）によって２の周部分Ｔ１、Ｔ２に分割される一方である一方周部分Ｔ２（図６参照）に存する少なくとも１の位置である第２の当接位置Ｐ３に当接する第２の当接部（ここでは支持脚２５の凹溝２７の内面２７ａが構成する）と、を有する当接手段（上部横棒１５と支持脚２５とを含む）と、テーブル面（一主表面１３ａ）を含む平面である基準平面と第１の当接部（上部横棒１５の外面）との間の距離である第１距離と、基準平面と第２の当接部（支持脚２５の凹溝２７の内面２７ａ）との間の距離である第２距離と、の両距離のうち少なくとも一方（ここでは第２距離）を変化させることで、ステアリングホイール１０１、１０３に対するテーブル面（一主表面１３ａ）の傾きを変化させる傾き調節手段（第１脚部支持部２３ａ及び第２脚部支持部２３ｂと、支持脚２５と、を含んでなる。）と、を備えてなる、テーブル装置である。
【００２８】
本装置１１においては、傾き調節手段（第１脚部支持部２３ａ及び第２脚部支持部２３ｂと支持脚２５とを含む）が、第１及び／又は第２の当接部（ここでは第２の当接部（支持脚２５の凹溝２７の内面２７ａ））とテーブル板１３との間に存するリンク機構（このリンク機構は、脚部支持部材（第１脚部支持部２３ａ及び第２脚部支持部２３ｂ）と支持脚部（支持脚２５）とで構成される。）によって前記両距離のうち少なくとも一方（ここでは第２距離）を変化させるものである。
そして本装置１１においては、傾き調節手段（第１脚部支持部２３ａ及び第２脚部支持部２３ｂと支持脚２５とを含む）が、第２距離を変化させるものであり、傾き調節手段（第１脚部支持部２３ａ及び第２脚部支持部２３ｂと支持脚２５とを含む）が、テーブル板１３に対して回動可能に取り付けられた脚部支持部材（第１脚部支持部２３ａ及び第２脚部支持部２３ｂ）と、脚部支持部材（第１脚部支持部２３ａ及び第２脚部支持部２３ｂ）に対して回動可能に取り付けられる棒状部材である支持脚部（支持脚２５）と、を有してなり、第２の当接部（支持脚２５の凹溝２７の内面２７ａ）が支持脚部（支持脚２５）の先端２５ｂ近傍部分によって形成されるものである。
【００２９】
本装置１１においては、傾き調節手段（第１脚部支持部２３ａ及び第２脚部支持部２３ｂと支持脚２５とを含む）が、第１及び／又は第２の当接部（ここでは第２の当接部（支持脚２５の凹溝２７の内面２７ａ））とテーブル板１３との間に存する互いに連結される複数の部材（ここでは第１脚部支持部２３ａ及び第２脚部支持部２３ｂと支持脚２５）を含んでなり、該複数の部材（第１脚部支持部２３ａ及び第２脚部支持部２３ｂと支持脚２５）のうち少なくとも１対の部材の間（ここでは第１脚部支持部２３ａ及び第２脚部支持部２３ｂと支持脚２５との間）が少なくとも２以上（ここでは６）の相対的に異なる位置（ボルト嵌入穴２６の位置）を選択可能に取り付けられること（ボルト部材２１ｃのボルトが貫通するボルト嵌入穴２６を変更すること）で前記両距離のうち少なくとも一方（ここでは第２距離）を変化させるものである。
そして本装置１１においては、傾き調節手段（第１脚部支持部２３ａ及び第２脚部支持部２３ｂと支持脚２５とを含む）が、第２距離を変化させるものであり、傾き調節手段（第１脚部支持部２３ａ及び第２脚部支持部２３ｂと支持脚２５とを含む）が、テーブル板１３に対して取り付けられた脚部支持部材（第１脚部支持部２３ａ及び第２脚部支持部２３ｂ）と、脚部支持部材（第１脚部支持部２３ａ及び第２脚部支持部２３ｂ）に対して少なくとも２以上の相対的に異なる位置を選択可能（ボルト部材２１ｃのボルトが貫通するボルト嵌入穴２６を変更することによる）に取り付けられる棒状部材である支持脚部（支持脚２５）と、を有してなり、第２の当接部（支持脚２５の凹溝２７の内面２７ａ）が支持脚部（支持脚２５）の先端２５ｂ近傍部分によって形成されるものである。
【００３０】
本装置１１においては、ステアリングホイール１０１、１０３の第２の当接位置Ｐ３に存する部分に係合し、内面２７ａの少なくとも一部が第２の当接部を構成する凹溝２７が前記支持脚部（支持脚２５）の先端２５ｂ近傍に形成されるものである。
また本装置１１においては、一対の第１の当接部（上部横棒１５の外面）が、テーブル板１３の他主表面１３ｂ側に配設され該他主表面１３ｂから畝状に突出する突条部材（ここでは上部横棒１５）の表面によって形成されるものである。
そして本装置１１においては、ステアリングホイール１０１、１０３に係合することでステアリングホイール１０１、１０３にテーブル板１３を着脱自在に取り付けるものである取付手段（ここでは第１帯材１９ａ及び第２帯材１９ｂを含んでなる）を備えてなる。
本装置１１においては、取付手段（第１帯材１９ａ及び第２帯材１９ｂを含む）が、一端がテーブル板１３に直接又は間接（ここでは間接）に取り付けられる第１帯材１９ａと、一端がテーブル板１３に直接又は間接（ここでは間接）に取り付けられる第２帯材１９ｂと、を含んでなり、第１帯材１９ａの他端側と第２帯材１９ｂの他端側とが脱着自在に連結される（面ファスナー１９ａｆ、１９ｂｆを互いに係合させ、また係合を解くことができる）ことで、ステアリングホイール１０１、１０３にテーブル板１３を着脱自在に取り付けるものである。
【符号の説明】
【００３１】
１１                本装置
１３                テーブル板
１３ａ              一主表面
１３ｂ              他主表面
１３ｃａ、１３ｃｂ  脚部支持部取付部
１３ｎ              落下防止棒
１４                テーブル本体部
１５                上部横棒
１５ａ              丸められた角部
１７ａ、１７ｂ      係止突起
１９ａ              第１帯材
１９ａｂ            帯本体部
１９ａｃ            環状部
１９ａｆ            面ファスナー
１９ｂ              第２帯材
１９ｂｂ            帯本体部
１９ｂｃ            環状部
１９ｂｆ            面ファスナー
２１ａ              ボルト部材
２１ｂ              ボルト部材
２１ｃ              ボルト部材
２３ａ              第１脚部支持部
２３ａａ            基端
２３ａｂ            先端
２３ｂ              第２脚部支持部
２３ｂａ            基端
２３ｂｂ            先端
２５                支持脚
２５ａ              基端
２５ｂ              先端
２６                ボルト嵌入穴
２７                凹溝
２７ａ              内面
１０１、１０３        ステアリングホイール
【図１】
0003165013.tif 000003
【図２】
0003165013.tif 000004
【図３】
0003165013.tif 000005
【図４】
0003165013.tif 000006
【図５】
0003165013.tif 000007
【図６】
0003165013.tif 000008
【図７】
0003165013.tif 000009
【図８】
0003165013.tif 000010